(57)【要約】【課題】容易に製造可能で、高反射率、高コントラストのカラー表示が可能なフレキシブルな表示装置を提供する。【解決手段】上側基板１および下側基板２は対向して配置されており、これらの間には、２種類の着色粒子群を内包したカプセル５が充填されている。本実施形態における２種類の着色粒子群とは、カプセル５ａが黒色粒子群７と赤色粒子群６ａ、カプセル５ｂが黒色粒子群７と緑色粒子群６ｂ、カプセル５ｃが黒色粒子群７と青色粒子群６ｃの組み合わせである。また、カラー着色粒子群６は正に帯電し、黒色粒子群７は負に帯電するように、各々帯電処理がなされている。カラー着色粒子群６は正に帯電させてあるので、負の電圧が印加されている第１電極３上に引き寄せられて付着し、黒色粒子群７は負に帯電させてあるので、正の電圧が印加されている第２電極４上に引き寄せられて付着する。【選択図】  図１
2004325632.tif 000002
【特許請求の範囲】
【請求項１】
少なくとも一方が透明である対向する一対の基板と、
前記一対の基板間に挟持され、少なくとも一部が透明であり内部に気相を備えたカプセルと、
前記カプセルの気相中において内包される一種類もしくは複数種類の粒子群と、
マトリクス状に配置された画素ごとに設けられ、前記粒子群を駆動する第１電極および第２電極と、
画像信号に応じた電圧を前記第１電極および前記第２電極に印加する電圧印加部とを備え、
前記電圧印加部によって印加された電圧にしたがって、前記第１電極と前記第２電極との間を前記粒子が移動することにより前記画像信号に応じた画像を表示するように構成されていることを特徴する表示装置。
【請求項２】
前記第１電極は透明基板側に設け、前記第２電極は前記カプセルの側壁部に設けたことを特徴とする請求項１記載の表示装置。
【請求項３】
前記粒子群を内包したカプセルは、前記画素の一単位と略同じ大きさであることを特徴とする請求項１記載の表示装置。
【請求項４】
前記粒子群を内包したカプセルは、各々色の異なる着色粒子を内包した少なくとも３種類のカプセルであることを特徴とする請求項１記載の表示装置。
【請求項５】
前記各々のカプセルに、色の異なる２種類の着色粒子が内包されたことを特徴とする請求項１記載の表示装置。
【請求項６】
前記着色粒子の色は、それぞれ赤、青、緑であることを特徴とする請求項４記載の表示装置。
【請求項７】
前記着色粒子の色は、それぞれシアン、イエロ−、マジェンタであることを特徴とする請求項４記載の表示装置。
【請求項８】
前記着色粒子を内包した３種類のカプセルと、黒色もしくは白色の着色粒子を内包したカプセルとの４種類のカプセルを備えたことを特徴とする請求項５から７の何れかに記載の表示装置。
【請求項９】
前記カプセルの大きさは、前記着色粒子の色により異なることを特徴とする請求項３記載の表示装置。
【請求項１０】
前記基板の少なくとも一方に、形状及び大きさが前記カプセルと略同じである凹部を設けたことを特徴とする請求項１記載の表示装置。
【請求項１１】
前記カプセルの透明部は、厚みが１μｍ以下であることを特徴とする請求項１から１０のいずれかに記載の表示装置。
【請求項１２】
前記カプセルの内部は不活性ガス雰囲気であることを特徴とする請求項１から１１のいずれかに記載の表示装置。
【請求項１３】
前記基板の少なくとも一方は樹脂フィルムからなることを特徴とする請求項１から１２のいずれかに記載の表示装置。
【請求項１４】
前記カプセルを前記基板内に散布し、前記基板に設けた凹部に前記カプセルを埋没させることにより、全ての画素分のカプセルを前記基板上に配置することを特徴とする請求項１から１３の何れかに記載の表示装置の製造方法。
【請求項１５】
少なくとも前記カプセルに前記粒子群を封入した後、前記カプセルを前記基板内に散布し、前記上側基板と前記下側基板とを封止する工程を不活性ガス雰囲気で行うことを特徴とする請求項１から１３のいずれかに記載の表示装置の製造方法。
【発明の詳細な説明】
【０００１】
【発明の属する技術分野】
本発明は、画像を表示する表示装置に関し、特に気相中の微細な粒子が電極間を移動することによりカラー画像表示を行う薄型でフレキシブルな表示装置に関する。
【０００２】
【従来の技術】
近年、対向する一対の基板間に充填された液相中において電気泳動粒子が電極間を移動することによって画像表示を行う電気泳動表示装置が提案されている（例えば、特許文献１参照）。このような電気泳動表示装置は、微細な粒子を用いて表示を行うため、薄型で、しかもフレキシブルな構造にすることが可能である。
【０００３】
しかしながら、前述したような電気泳動表示装置の場合、電気泳動粒子が液相中を移動するときの液体の抵抗が大きいために応答が遅いという問題があった。そこで、応答速度の向上を図るべく、対向する一対の基板間に設けられた気相中で粒子を移動させることにより画像表示を行う表示装置が提案されている。このような表示装置の場合、粒子は気相中を移動することになるため、電気泳動表示装置の場合と比べて応答を速くすることができる。現状では、電気泳動表示装置における粒子の応答速度が１００ｍｓｅｃ程度であるのに対して、気相中を粒子が移動する表示装置における粒子の応答速度が１ｍｓｅｃ以下である。
【０００４】
前述したように、気相中で粒子を移動させて画像表示を行う表示装置としては、例えば特許文献２に開示されているものがある。図６は、特許文献２に示されている従来の表示装置の構成を示す図である。この従来の表示装置５０は、光を透過させる第１の基板６０と、第１の基板６０に対向して配置された第２の基板６３と、これら第１の基板６０と第２の基板６３との間に封入された色の異なる第１の粒子８０および第２の粒子８２を備えている。第１の基板６０の下面には電極６２が、第２の基板６３の上面には電極６５がそれぞれ形成されている。ここで、第１の粒子８０は正に帯電し、第２の粒子８２は負に帯電している。
【０００５】
以上のように構成された従来の表示装置において、画像信号に応じた電圧が電極６２および電極６５に印加された場合、第１の粒子８０は第１の基板６０側に、第２の粒子８２は第２の基板６３側にそれぞれ移動する。ここで、第１の粒子８０が黒色、第２の粒子８２が白色の場合、第１の基板６０側から観察すると黒表示が行われることになる。一方、電極６２および電極６５に逆極性の電圧が印加された場合、第１の粒子８０は第２の基板６３側に、第２の粒子８２は第１の基板６０側にそれぞれ移動することになるので、第１の基板６０側から観察すると白表示が行われることになる。このようにして、黒表示および白表示を行うことによって所望の画像を表示することが可能となる。さらに、各色の着色粒子がスペーサによって独立した単位セル５１ごとに設けられており、同様の原理によって各色の表示を行い、カラー画像表示が可能となる。
【０００６】
【特許文献１】
特開平１１−２０２８０４号公報
【特許文献２】
特開２００２−１６９１９１号公報
【０００７】
【発明が解決しようとする課題】
しかしながら、画素間にスペーサを設ける等の構造にした上で着色粒子を色ごとに封入する必要があるので、スペーサを設ける等のためにパネルの構造が複雑になり、しかも他の色の粒子が混入しないように封入するのは極めて困難である。さらには、スペーサ部材によってパネルの剛性が大きくなり、フレキシビリティが損なわれてしまう。
【０００８】
一方、カラー画像表示の方法として、カラーフィルターを使う方法も提案されているが（例えば、特許文献１参照）、反射率の低下を招き、画像が暗くなってしまうという課題がある。
【０００９】
本発明はこのような事情に鑑みてなされてものであり、その目的は、簡単な構造で作りやすいカラー画像表示を得られるフレキシブルな表示装置を提供することにある。
【００１０】
【課題を解決するための手段】
前述したような課題を解決するために、本発明に係る表示装置は、少なくとも一方が透明である対向する一対の基板と、前記一対の基板間に挟持され、少なくとも一部が透明であるカプセルに気相中において内包される一種類もしくは複数種類の粒子群と、マトリクス状に配置された画素ごとに設けられ、前記粒子群を駆動する第１電極および第２電極と、画像信号に応じた電圧を前記第１電極および前記第２電極に印加する電圧印加部とを備え、前記電圧印加部によって印加された電圧にしたがって、前記第１電極と前記第２電極との間を前記粒子が移動することにより前記画像信号に応じた画像を表示するような構成とした。
【００１１】
また、前記第１電極は透明基板側に設け、前記第２電極は前記カプセルの側壁部に設けた構成にするのが望ましい。
【００１２】
また、前記粒子群を内包したカプセルは、前記画素の一単位と略同じ大きさである構成にするのが望ましい。
【００１３】
また、前記粒子群を内包したカプセルは、各々色の異なる着色粒子を内包した少なくとも３種類のカプセルである構成にするのが望ましい。
【００１４】
また、前記各々のカプセルに、色の異なる２種類の着色粒子が内包された構成にするのが望ましい。
【００１５】
また、前記着色粒子の色は、それぞれ赤、青、緑である構成にするのが望ましい。
【００１６】
また、前記着色粒子の色は、それぞれシアン、イエロ−、マジェンタである構成にするのが望ましい。
【００１７】
また、前記着色粒子を内包した３種類のカプセルと、黒色もしくは白色の着色粒子を内包したカプセルとの４種類のカプセルを備えた構成にするのが望ましい。
【００１８】
また、前記カプセルの大きさは、前記着色粒子の色により異なる構成にするのが望ましい。
【００１９】
また、前記カプセルの透明部は、厚みが１μｍ以下である構成にするのが望ましい。
【００２０】
また、前記基板の少なくとも一方に、形状及び大きさが前記カプセルと略同じである凹部を設けた構成にするのが望ましい。
【００２１】
また、前記カプセルを前記基板内に散布し、前記基板に設けた凹部に前記カプセルを埋没させることにより、全ての画素分のカプセルを前記基板上に配置する構成にするのが望ましい。
【００２２】
また、前記カプセルの内部は不活性ガス雰囲気である構成にするのが望ましい。
【００２３】
また、前記基板の少なくとも一方は樹脂フィルムからなる構成にするのが望ましい。
【００２４】
また、前記カプセルを前記基板内に散布し、前記基板に設けた凹部に前記カプセルを埋没させることにより、全ての画素分のカプセルを前記基板上に配置する製造方法にするのが望ましい。
【００２５】
また、少なくとも前記カプセルに前記粒子群を封入した後、前記カプセルを前記基板内に散布し、前記上側基板と前記下側基板とを封止する工程を不活性ガス雰囲気で行う製造方法にするのが望ましい。
【００２６】
【発明の実施の形態】
以下、本発明の実施の形態について図面を参照しながら説明する。
【００２７】
（実施の形態１）
本発明の実施の形態１に係る表示装置はいわゆるアクティブマトリクス方式のものである。図２は、本発明の実施の形態１に係る表示装置の構成を示すブロック図である。図２に示すように、本実施の形態１の表示装置１００は、マトリクス状に配置された画素２５を有する表示部２４を備えている。各画素２５は、後述するように第１電極および第２電極を備えており、これらの第１電極および第２電極は、それぞれ第１電極ドライバ２２および第２電極ドライバ２３によって駆動される。そして、これらの第１電極ドライバ２２および第２電極ドライバ２３の動作は制御部２１によって制御されるように構成されている。
【００２８】
図１は白表示を行っている場合の本発明の実施の形態１に係る表示装置が備える表示部２４の主要な構成を模式的に示す図であり、（ａ）はその構成を示す平面図、（ｂ）は（ａ）のＡ−Ａ線における断面図である。また、図３は黒表示を行っている場合の本発明の実施の形態１に係る表示装置が備える表示部２４の主要な構成を模式的に示す図であり、（ａ）はその構成を示す平面図、（ｂ）は（ａ）のＢ−Ｂ線における断面図である。なお、説明の便宜上、図中のＸ方向、Ｙ方向をそれぞれ表示部２４の横方向、縦方向とし、Ｚ方向を表示部２４の上方向とする。
【００２９】
図１および図３に示すように、表示部２４は、２枚の基板、すなわち上側基板１と下側基板２とを備えている。これらの上側基板１および下側基板２は、厚さ０．１ｍｍ乃至０．５ｍｍ程度の透明樹脂製の耐熱性フィルムで構成されている。なお、いわゆる電子ペーパーと呼ばれるような折り曲げ可能な表示装置を実現するためには、上側基板１および下側基板２の厚さが０．１ｍｍ乃至０．２ｍｍ程度であることが好ましい。
【００３０】
上側基板１および下側基板２は対向して配置されており、これらの上側基板１と下側基板２との間には、２種類の着色粒子群を内包したカプセル５が充填されている。本実施の形態１における２種類の着色粒子群とは、カプセル５ａが黒色粒子群７と赤色粒子群６ａ、カプセル５ｂが黒色粒子群７と緑色粒子群６ｂ、カプセル５ｃが黒色粒子群７と青色粒子群６ｃの組み合わせである。
【００３１】
カラー着色粒子群６及び黒色粒子群７は、アクリル粒子等の樹脂材料及び顔料または染料などから合成された球状の粒子であり、その粒径は各々１μｍ乃至１０μｍ程度である。なお、カラー着色粒子群６及び黒色粒子群７は粒径が均一であることが好ましい。粒子同士が凝集するのを防止するためである。また、カラー着色粒子群６は正に帯電し、黒色粒子群７は負に帯電するように、各々帯電処理がなされている。
【００３２】
本実施の形態１に用いたカラー着色粒子群６及び黒色粒子群７は、母粒子と子粒子とからなる構成である。カラー着色粒子群６及び黒色粒子群７は、比重が小さく流動性に優れているものが好ましいが、このような複合化の構成により、特に子粒子の粒径によって粒子間あるいは基板との間に作用するファンデルワールス力が依存するため、粒子全体として流動性は向上する。
【００３３】
本実施の形態１においては、母粒子には直径５μｍの真球状アクリル粒子を、また、子粒子には帯電処理を施した平均粒径１６ｎｍのシリカ微粒子を使用し、粒子全体として帯電性を有するものとした。なお、母粒子に使用する材料としてはスチレン系、メラミン系など、他の樹脂材料でもかまわない。また、子粒子にシリカを使用したのは、シランカップリング剤等により安定でかつ大きな帯電量を得られる帯電処理が可能だからである。母粒子はアクリル樹脂製なので真比重が１．２ｇ／ｃｍ３と小さく、かつ軟化点が低い。一方、子粒子は母粒子に比べれば、２．１ｇ／ｃｍ３と真比重が大きいが配合比が小さいので粒子全体としての影響は小さく、また、母粒子に比べれば軟化点が高いため、メカノケミカルなどの方法で母粒子に固着しやすい。
【００３４】
母粒子の表層全面を覆うように、子粒子をメカノケミカルの一種である高速気流中衝撃法により固定化処理した。母粒子の表層全面に子粒子を被覆するための配合比は、母粒子：子粒子の重量比で１００：３乃至１００：５とし、理論配合比よりもやや多めにした。ここで、理論配合比とは、母粒子の表面全面を子粒子の一層で被覆すると仮定したときの計算値であり、配合比を理論値よりも多めにしたのは、高速気流中衝撃法で子粒子の層を均一にするには限界があり、母粒子全面を子粒子の一層で覆うことが難しいためである。
【００３５】
カプセル５ａ、５ｂ、５ｃの形状は各画素２５の大きさに依存するが、例えば直径２０μｍ乃至１００μｍ程度、長さ直径２０μｍ乃至１００μｍ程度の円柱状のものである。本実施の形態１においては、１画素とほぼ同じ大きさの直径３４μｍ、長さ１０２μｍとした。カプセル５の形状としては、円柱状の他、断面形状が楕円形のものや、球状のものでもよい。また、内包するカラー着色粒子群６の色に応じてカプセル５ａ、５ｂ、５ｃの大きさを異なるものとした。具体的には、緑色粒子群６ｂ、赤色粒子群６ａ、青色粒子群６ｃの順にカプセルの大きさが大きくなる構成とした。視感度の良くない色の表示面積を大きくすることにより、各々の色の反射特性に適応しやすくするためである。また、このようにカプセル５の大きさを異ならせることにより、後述するように、カプセル５を下側基板２に嵌合させるという方法において、比較的簡単な製造方法が適用できるからである。
【００３６】
カプセル５は、観察側、すなわち上側基板１側は少なくとも透明である必要があるが、本実施の形態１においては、全て透明アクリル樹脂から構成されている。カプセル５の肉厚は２０ｎｍ乃至１μｍであり、反射損失を低減できる上にコントラストの低下を防止できるので、できるだけ薄いのが望ましい。しかし、カプセル５の肉厚を薄くし過ぎると、カプセル５が破損しカプセルに内包された粒子が流出する原因となるので、最小限度の膜厚を必要としている。
【００３７】
着色粒子群を封入したカプセル５を製造する方法としては、チューブ状のファイバーに着色粒子群を封入した後、所望の長さにレーザー等で溶断する方法を用いた。あるいは、あらかじめ所定の形状に形成された２分割の部材に着色粒子群を封入した後、部材を嵌合することでもカプセル５を製造することができる。
【００３８】
そして、カラー着色粒子群６及び黒色粒子群７の充填率は、カプセル５における気体層８の体積換算でカラー着色粒子群６及び黒色粒子群７の重量比１０％乃至３０％程度としている。
【００３９】
カラー着色粒子群６及び黒色粒子群７をカプセル５に封入する工程から気密封止に至るまでの工程を窒素等の不活性ガス雰囲気で行うことにより、カプセル５内及びセル内を不活性ガス雰囲気とし、気体層８を窒素等の不活性ガス層とした。カプセル５内及びセル内に残留した水分によって粒子の凝集を防止するためである。
【００４０】
下側基板２には、走査信号線９が形成された後、第１絶縁層１０を介して第２電極４及び映像信号線１１が形成されており、さらにアクティブ素子１２、及びカプセル５ａ、５ｂ、５ｃの形状に合わせた凹部１３ａ、１３ｂ、１３ｃを設けた第２絶縁層１３が形成されている。このような凹部は、第２絶縁層１３に感光性樹脂を用いることにより形成することができる。
【００４１】
カプセル５ａ、５ｂ、５ｃは前述のごとく形状が異なるため、カプセル５の種類ごとに下側基板２上に分散、振動させることにより順次、凹部１３ａ、１３ｂ、１３ｃに嵌合せしめることができ、全てのカプセル５を全ての画素２５に配設することができる。
【００４２】
上側基板１の下面には、矩形状の第１電極３が画素ごとに形成されている。第１電極３はＩＴＯ（Ｉｎｄｉｕｍ  Ｔｉｎ  Ｏｘｉｄｅ）などで構成された透明導電体である。
【００４３】
全てのカプセル５を全ての画素２５に配設した後、上側基板１と下側基板２とを貼り合わせ、周縁部をエポキシ系の接着剤などによって気密封止する。
【００４４】
以上のように構成された本実施の形態１に係る表示装置の動作について、図１乃至図３を参照しながら説明する。表示装置１００では、制御部２１が、外部の装置から入力される画像信号に応じて、第１電極ドライバ２２および第２電極ドライバ２３に対して制御信号をそれぞれ出力する。その結果、第１電極ドライバ２２が第１電極３に対して所定の電圧を印加し、一方、第２電極ドライバ２３がそのタイミングに合わせて画像信号に応じた電圧を各画素２５に形成されている第２電極４に印加する。これにより、各画素２５のカラー着色粒子群６及び黒色粒子群７が後述するように移動し、観察者の目に画像信号に対応する画像が映る。
【００４５】
画素２５におけるカラー表示は次のようにして実現される。制御部２１から出力された制御信号は、走査信号線９、映像信号線１１、そして制御信号に応じてオン、オフ制御されるアクティブ素子１２を経て、第１電極ドライバ２２は第１電極３に負の電圧を、第２電極ドライバ２３は第２電極４に正の電圧をそれぞれ印加する。この場合、図２（ａ）および（ｂ）に示すように、カラー着色粒子群６は正に帯電させてあるので第１電極３上に引き寄せられて付着し、黒色粒子群７は負に帯電させてあるので第２電極４上に引き寄せられて付着する。ここで、第１電極３は前述したように透明導電体で構成されているため、上側基板１の上面に付着している赤色粒子群６ａ、緑色粒子群６ｂ、青色粒子群６ｃによって形成される白色が観察されることになる。このとき、制御部２１から出力された制御信号により、上側基板１に付着する赤色、青色、緑色、各々の粒子の量が変わり、所望のカラー表示を行うことができる。
【００４６】
一方、画素２５における黒色表示は次のように実現される。制御部２１から出力された制御信号に応じて、第１電極ドライバ２２は第１電極３に正の電圧を、第２電極ドライバ２３は第２電極４に負の電圧をそれぞれ印加する。この場合では、図３（ａ）および（ｂ）に示すように、黒色粒子群７は負に帯電させてあるので第１電極３上に引き寄せられて付着し、カラー着色粒子群６は正に帯電させてあるので第２電極４上に引き寄せられて付着する。その結果、黒色粒子群７が観察されることになる。
【００４７】
なお、本実施の形態１においては、カプセル５に内包する２種類の粒子群として加法混色の色の３原色であるＲ（赤）、Ｇ（緑）、Ｂ（青）の各色と黒色粒子群との組み合わせの例を用いて説明したが、減法混色でＣ（シアン）、Ｙ（イエロー）、Ｍ（マジェンタ）の各色と白色粒子群の組み合わせでもかまわない。
【００４８】
以上のように、簡単な構造で作りやすいカラー画像表示が得られるフレキシブルな表示装置を得ることができる。
【００４９】
（実施の形態２）
実施の形態２に係る表示装置は、カプセル５に内包させる粒子群を１種類のカラー着色粒子群６のみとした構成であり、２種類のカラー着色粒子群６を内包した構成である実施の形態１と大きく異なる。本実施の形態２の場合、２種類の粒子がお互いの動きを阻害することがなくなり、低電圧で駆動することが可能になるとともに、より高速応答が可能となる。
【００５０】
以下に、本実施の形態２の具体的な構成について説明する。
【００５１】
図４は、画像表示を行っている場合の本発明の実施の形態２に係る表示装置が備える表示部２４の主要な構成を模式的に示す断面拡大図であり、（ａ）は白色表示、（ｂ）は黒色表示の状態を示している。
【００５２】
本実施の形態２においては、カプセル５の側壁部に第２電極４を設けた構成とした。第２電極４は、第２絶縁層１３を介してアクティブ素子１２（図示せず）と電気的に接続されている。
【００５３】
使用するカラー着色粒子群６としては、実施の形態１と同様に、カプセル５ａが赤色粒子群６ａ、カプセル５ｂが緑色粒子群６ｂ、カプセル５ｃが青色粒子群６ｃであり、アクリル粒子等の樹脂材料及び顔料または染料などから合成され、各々の粒径が１μｍ乃至１０μｍ程度の球状粒子である。なお、カラー着色粒子群６は粒径が均一であることが好ましい。粒子同士が凝集するのを防止するためである。また、カラー着色粒子群６は正に帯電するように、各々帯電処理がなされている。下側基板２の最上面にはカラーフィルター等に使用される樹脂製ブラックマトリクスを形成するのと同一の材料を使用した黒色板１４が設けられている。その他の構成については、実施の形態１の場合と同様であるので説明を省略する。
【００５４】
以上のように構成された本実施の形態２に係る表示装置の動作について、図４を参照しながら説明する。画素２５におけるカラー表示は次のようにして実現される。制御部２１から出力された制御信号は、走査信号線９、映像信号線１１、そして制御信号に応じてオン、オフ制御されるアクティブ素子１２を経て、第１電極ドライバ２２は第１電極３に負の電圧を、第２電極ドライバ２３は第２電極４に正の電圧をそれぞれ印加する。この場合、図４（ａ）に示すように、カラー着色粒子群６は正に帯電させてあるので、第１電極３上に引き寄せられて付着する。ここで、第１電極３は前述したように透明導電体で構成されているため、上側基板１の上面に付着している赤色粒子群６ａ、緑色粒子群６ｂ、青色粒子群６ｃによって形成される白色が観察されることになる。このとき、制御部２１から出力された制御信号により、上側基板１に付着する赤色、青色、緑色、各々の粒子の量が変わり、所望のカラー表示を行うことができる。
【００５５】
一方、画素２５における黒色表示は次のように実現される。制御部２１から出力された制御信号に応じて、第１電極ドライバ２２は第１電極３に正の電圧を、第２電極ドライバ２３は第２電極４に負の電圧をそれぞれ印加する。この場合、図４（ｂ）に示すように、カラー着色粒子群６は正に帯電させてあるので第２電極４上に引き寄せられて付着する。その結果、カラー着色粒子群６は観察されなくなり、その代わりに下側基板２の最上面に設けた黒色板１４が観察されることになり、黒色表示を行うことができる。黒色板１４には、カラーフィルター等に使用される樹脂製ブラックマトリクスを形成するのと同一の材料を使用した。
【００５６】
以上のように、簡単な構造で作りやすいカラー画像表示が得られるフレキシブルな表示装置を得ることができる。
【００５７】
（実施の形態３）
実施の形態３に係る表示装置は、赤色粒子群６ａ、緑色粒子群６ｂ、青色粒子群６ｃを内包させた３種類のカプセル５に加えて、白色粒子群６ｄを内包させたカプセル５ｄを設けた構成にした点で、３種類のカプセル５からなる実施の形態２と大きく異なる。本実施の形態３は、白色度をさらに向上させたい場合に、より効果的な構成である。
【００５８】
図５は、画像表示を行っている場合の本発明の実施の形態３に係る表示装置が備える表示部２４の主要な構成を模式的に示す断面拡大図であり、（ａ）は白色表示、（ｂ）は黒色表示の状態を示している。
【００５９】
本実施の形態３においては、実施の形態２と同じく、カプセル５の側壁部に第２電極４を設けた構成とした。第２電極４は、第２絶縁層１３を介してアクティブ素子１２（図示せず）と電気的に接続されている。
【００６０】
使用するカラー着色粒子群６としては、カプセル５ａが赤色粒子群６ａ、カプセル５ｂが緑色粒子群６ｂ、カプセル５ｃが青色粒子群６ｃ、そしてカプセル５ｄが白色粒子群６ｄであり、アクリル粒子等の樹脂材料及び顔料または染料などから合成され、各々の粒径が１μｍ乃至１０μｍ程度の球状粒子である。なお、カラー着色粒子群６は粒径が均一であることが好ましい。粒子同士が凝集するのを防止するためである。また、カラー着色粒子群６は正に帯電するように、各々帯電処理がなされている。
【００６１】
その他の構成については、実施の形態２の場合と同様であるので説明を省略する。
【００６２】
また、表示装置の動作については、白色粒子群６ｄが他の着色粒子群と同様に、制御部２１から出力された制御信号により上側基板１に付着したり、第２電極４に付着したりする点を除いては、実施の形態２の場合と同様であるので説明を省略する。
【００６３】
以上のように、簡単な構造で作りやすいカラー画像表示が得られるフレキシブルな表示装置を得ることができる。
【００６４】
なお、表示装置の用途等に応じて前述した実施の形態のうちのいくつかを適宜組み合わせることによって種々の表示装置を実現することが可能である。
【００６５】
【発明の効果】
以上詳述したように、本発明に係る表示装置及びその製造方法によれば、カラー表示が可能でフレキシブルな表示装置を比較的容易に製造することができる。
【００６６】
また、粒子を気相中のカプセルに内包しているため、粒子をスムーズに移動させることができるので、電気泳動表示装置に比べて応答時間の短縮化を実現することができる。
【００６７】
さらに、カラーフィルターを使用しないので高反射率、高コントラストのカラー表示が可能である。
【図面の簡単な説明】
【図１】白表示を行っている場合の本発明の実施の形態１に係る表示装置が備える表示部の主要な構成を模式的に示す図
（ａ）その構成を示す平面図
（ｂ）（ａ）のＡ−Ａ線における断面図
【図２】本発明の実施の形態１に係る表示装置の構成を示すブロック図
【図３】黒表示を行っている場合の本発明の実施の形態１に係る表示装置が備える表示部の主要な構成を模式的に示す図
（ａ）その構成を示す平面図
（ｂ）（ａ）のＢ−Ｂ線における断面図
【図４】画像表示を行っている場合の本発明の実施の形態２に係る表示装置が備える表示部の主要な構成を模式的に示す断面拡大図
（ａ）白色表示の状態を示す図
（ｂ）黒色表示の状態を示す図
【図５】画像表示を行っている場合の本発明の実施の形態３に係る表示装置が備える表示部の主要な構成を模式的に示す断面拡大図
（ａ）白色表示の状態を示す図
（ｂ）黒色表示の状態を示す図
【図６】従来の表示装置の構成を示す図
【符号の説明】
１  上側基板
２  下側基板
３  第１電極
４  第２電極
５  カプセル
５ａ  赤色粒子群（＋黒色粒子群）のカプセル
５ｂ  緑色粒子群（＋黒色粒子群）のカプセル
５ｃ  青色粒子群（＋黒色粒子群）のカプセル
５ｄ  白色粒子群のカプセル
６  カラー着色粒子群
６ａ  赤色粒子群
６ｂ  緑色粒子群
６ｃ  青色粒子群
６ｄ  白色粒子群
７  黒色粒子群
８  気体層
９  走査信号線
１０  第１絶縁層
１１  映像信号線
１２  アクティブ素子
１３  第２絶縁層
１３ａ，１３ｂ，１３ｃ  凹部
１４  黒色板
２１  制御部
２２  第１電極ドライバ
２３  第２電極ドライバ
２４  表示部
２５  画素
５０  表示装置
５１  単位セル
６０  第１の基板
６２  電極
６３  第２の基板
６５  電極
８０  第１の粒子
８２  第２の粒子
１００  表示装置
【図１】
2004325632.tif 000003
【図２】
2004325632.tif 000004
【図３】
2004325632.tif 000005
【図４】
2004325632.tif 000006
【図５】
2004325632.tif 000007
【図６】
2004325632.tif 000008